(57)【要約】【課題】本出願人による先提案のパッケージが有する段ボール容器製パッケージと比較した優位性はそのまま維持しながら、より低コストで提供可能な新規なポリ袋用パッケージを提供する。【解決手段】ポリエチレンシートからなる略ボックス状の包装体２内に多数のポリ袋３が一枚ずつ複数折りされた状態で重ねて詰め込まれているので、耐候性、耐水性に優れる上、薄肉軽量であるため保管、搬送時に嵩張ることがなく、使用後の廃棄処理も容易である。ポリ袋３を一枚ずつ取り出すための開口部４と持ち運び用の手提げ部６が兼用されるので、極めて安価に製造可能である。【選択図】  図１
0003102197.tif 000002
【実用新案登録請求の範囲】
【請求項１】
軟質合成樹脂シートからなる略ボックス状の包装体内に、一枚ずつ矩形状に複数折りされた多数のポリ袋が略水平に重ねて詰め込まれると共に、前記包装体に破線で囲まれた取出部を形成し、該取出部を前記破線に沿って切り取ることで前記包装体に前記ポリ袋を一枚ずつ取り出すための開口部が形成されるポリ袋用パッケージであって、前記取出部を、前記包装体の上面部の幅方向略中央に帯状部が残るよう該帯状部の左右両側に設け、前記各取出部を前記破線に沿って切り取った際、前記帯状部の左右両側に前記開口部が形成されるよう構成したことを特徴とするポリ袋用パッケージ。
【請求項２】
前記包装体の任意の側面部に破線で囲まれた第二取出部を設け、該第二取出部は、前記破線に沿って切り取ることで、前記包装体の内部下方にある前記ポリ袋を一枚ずつ取り出すことができる第二開口部となるよう形成したことを特徴とする請求項１記載のポリ袋用パッケージ。
【請求項３】
角筒状のポリエチレンシートにおける上端側の開口を溶着閉鎖して、上面部の幅方向略中央に帯状封着部を備えた包装袋を形成し、該包装袋の下端側の開口から、一枚ずつ矩形状に複数折りされた多数のポリ袋を略水平に重ねて詰め込んだ後、前記下端側の開口を溶着閉鎖して略ボックス状の包装体を形成し、
且つ該包装体の上面部における前記帯状封着部の左右両側に破線で囲まれた取出部を設け、これら取出部を前記破線に沿って切り取ることで、前記包装体に前記ポリ袋を一枚ずつ取り出すための開口部が形成されるよう構成したことを特徴とするポリ袋用パッケージ。
【請求項４】
前記ポリ袋は、その長手方向に折り重ねるようにして連続して２回折られ、更に前記長手方向と直交する方向に折り重ねるようにして連続して３回折られており、これら複数折りされた多数のポリ袋が略水平に重ねて詰め込まれた前記略ボックス状の包装体の内部を真空又はそれに近い状態として縦置き可能に構成したことを特徴とする請求項１〜３のいずれかに記載のポリ袋用パッケージ。
【考案の詳細な説明】
【技術分野】
【０００１】
本考案は、ゴミを収集したり蒲団やその他の物の収納したりするのに用いるポリ袋を多数詰め込んでなるポリ袋用パッケージに関する。
【背景技術】
【０００２】
旧来、この種ポリ袋用パッケージとして、例えば、一枚ずつ矩形状に複数折りされた１００枚程度のポリ袋を箱型の段ボール容器内に略水平に重ねて詰め込んだものが知られている。
しかし、このような段ボール容器製のポリ袋用パッケージは、段ボール容器が高価なこと、ポリ袋を詰める前の段ボール容器を保管する際や、使用後の段ボール容器を廃棄する際等に、その段ボール容器が嵩張り邪魔になり易いこと、雨水等に濡れることで該パッケージの品質を低下させてしまう場合があること等の問題を有していた。
【０００３】
このような段ボール容器製のパッケージが持つ問題点を解消するため、本出願人は、段ボール容器と比較して安価なポリエチレン製の包装袋内に上記ポリ袋を詰め込んだ新規なポリ袋用ポリエチレン製パッケージを考案し、先に出願した（特許文献１参照）。
このポリエチレン製パッケージは、段ボールと異なり可撓性を有するポリエチレン製の包装袋内に上記ポリ袋を多数詰め込み、上記段ボール容器と同様に安定性よく縦置きすることができ、且つコンパクトで保管、廃棄なども容易であるという極めて利便性の高いものである。
【０００４】
【特許文献１】実用新案登録第３０９３７３８号公報
【考案の開示】
【考案が解決しようとする課題】
【０００５】
ところで、上記した本出願人による先提案のポリエチレン製パッケージは、包装袋の上面部に形成される延設部のほぼ中央に手提げ用の切込部を予め開設して持ち運びができるようにすると共に、包装袋の側面部に設けたミシン目取出部を引き裂くことで形成される開口部からポリ袋を一枚ずつ取り出せるよう構成されている。
よって、所定の幅をもって延設部を形成したうえで、その延設部に手提げ用切込部を開設すると共に、それとは別にミシン目取出部を形成する必要があるので製造に手間がかかり、結果としてパッケージコストが高くなるという問題があった。
【０００６】
また、上記ポリエチレン製パッケージは、旧来の段ボール容器製パッケージのような１００枚程度のポリ袋を収納した業務用としての提供を念頭に置いたもので、一般家庭での使用をも考慮したものではない。すなわち、一般家庭の調理台等の上に置いて使用したり引出しに入れて使用するのは大きさ、デザイン面、機能面等で問題があり、一般家庭での使用には適していないものであった。
【０００７】
一般家庭用のポリ袋用ポリエチレン製パッケージとしては、一枚ずつ矩形状に複数折りされた１０〜３０枚程度のポリ袋を、Ａ４サイズ大のポリエチレン製平袋に収納すると共に、その平袋の外縁部に設けたミシン目取出部を引き裂くことで形成される開口部からポリ袋を一枚ずつ取り出すようにした形態のものが市販されている。
しかし、このような平袋タイプのパッケージは、収納するポリ袋の数に限りがあると共に、一般家庭の調理台等の上に置いて使用するのに適したデザインを持っているとは言い難く、また、平袋の外縁部に開口部が形成されるので、調理台や食器棚等に入れたままでその開口部からポリ袋を一枚ずつ取り出すのは困難であった。
【０００８】
本考案はこのような従来事情に鑑みてなされたもので、その目的とする処は、本出願人による先提案のポリ袋用パッケージが有する段ボール容器製パッケージと比較した優位性はそのまま維持しつつ、一般家庭での使用にも適した新規なポリ袋用パッケージを提供することにある。
【課題を解決するための手段】
【０００９】
以上の目的を達成するために、本考案に係るポリ袋用パッケージは、請求項１では、軟質合成樹脂シートからなる略ボックス状の包装体内に、一枚ずつ矩形状に複数折りされた多数のポリ袋が略水平に重ねて詰め込まれると共に、前記包装体に破線で囲まれた取出部を形成し、該取出部を前記破線に沿って切り取ることで前記包装体に前記ポリ袋を一枚ずつ取り出すための開口部が形成されるポリ袋用パッケージであって、前記取出部を、前記包装体の上面部の幅方向略中央に帯状部が残るよう該帯状部の左右両側に設け、前記各取出部を前記破線に沿って切り取った際、前記帯状部の左右両側に前記開口部が形成されるよう構成したことを特徴とする。
【００１０】
請求項２では、前記包装体の任意の側面部に破線で囲まれた第二取出部を設け、該第二取出部は、前記破線に沿って切り取ることで、前記包装体の内部下方にある前記ポリ袋を一枚ずつ取り出すことができる第二開口部となるよう形成したことを特徴とする。
【００１１】
請求項３では、角筒状のポリエチレンシートにおける上端側の開口を溶着閉鎖して、上面部の幅方向略中央に帯状封着部を備えた包装袋を形成し、該包装袋の下端側の開口から、一枚ずつ矩形状に複数折りされた多数のポリ袋を略水平に重ねて詰め込んだ後、前記下端側の開口を溶着閉鎖して略ボックス状の包装体を形成し、
且つ該包装体の上面部における前記帯状封着部の左右両側に破線で囲まれた取出部を設け、これら取出部を前記破線に沿って切り取ることで、前記包装体に前記ポリ袋を一枚ずつ取り出すための開口部が形成されるよう構成したことを特徴とする。
【００１２】
請求項４では、前記ポリ袋は、その長手方向に折り重ねるようにして連続して２回折られ、更に前記長手方向と直交する方向に折り重ねるようにして連続して３回折られており、これら複数折りされた多数のポリ袋が略水平に重ねて詰め込まれた前記略ボックス状の包装体の内部を真空又はそれに近い状態として縦置き可能に構成したことを特徴とする。
【考案の効果】
【００１３】
本考案に係るポリ袋用パッケージは以上説明したように構成したので、以下に記載されるような効果を有する。
【００１４】
（請求項１）
軟質合成樹脂シートからなる略ボックス状の包装体内に多数のポリ袋が一枚ずつ複数折りされた状態で重ねて詰め込まれているので、段ボール容器製パッケージに比べ、雨水等に強く耐候性、耐水性に優れている上、段ボールと比較し非常に薄肉軽量であるため、保管、搬送時に嵩張ることがなく、使用後の廃棄処理も容易である。また、上面側に開口部を備えた略ボックス状のパッケージとなるので、調理台等の上に置いて使用するのに適したデザインを持ち、且つ調理台や食器棚の引き出し等に入れたままで上面の開口部からポリ袋を一枚ずつ取り出すことができ、一般家庭での使用に適した新規なポリ袋用パッケージを提供することができた。
さらに、ポリ袋を一枚ずつ取り出すための左右の開口部で挟まれた帯状部を、持ち運び用の手提げ部として使うこともでき、延設部を形成した上でさらに切込部を形成すると共にミシン目取出部を別途形成するという本出願人による先提案のパッケージの問題点を解消し、極めて安価に製造可能であるなど、多くの効果を奏する。
【００１５】
（請求項２）
内部のポリ袋の量が減って上面部の開口部から取り出しにくくなった場合、側面部の第二開口部によって包装体内下方のポリ袋を容易に取り出すことができ、便利である。
【００１６】
（請求項３）
請求項１による前述の効果に加え、角筒状のポリエチレンシートを用いて、その上下の開口の溶着閉鎖による略ボックス状の包装体の製造工程と、多数のポリ袋の詰め込み工程とを一連の工程中で行うことができる。また、上端側の開口の溶着閉鎖時に形成される帯状封着部を利用して、持ち運び用の手提げ部とすることもでき、より安価での提供が可能になる等、多くの効果を奏する。
【００１７】
（請求項４）
略ボックス状の包装体内に、一枚づつ複数折りされた多数のポリ袋が略水平状に重ねて詰め込まれ、且つ包装体の内部を真空又はそれに近い状態として縦置き可能に構成したので、収容された多数のポリ袋がずれるようなことなく、コンパクトな形態で保管、搬送、使用に供することができる。よって、多数個を積み上げて保管、搬送する際等の省スペース化や省労力化が図れると共に、一般家庭の調理台等の上に置いて使用する場合などの型崩れを可及的に防止し得る等、多くの効果を奏する。
【考案を実施するための最良の形態】
【００１８】
以下、本考案に係るポリ袋用パッケージの実施形態の一例を図１〜図６を参照して説明する。
本例のポリ袋用パッケージＡは、角筒状のポリエチレンシート１の上端側の開口１ａと下端側の開口１ｂを溶着閉鎖してなる略ボックス状の包装体２と、該包装体２内に多数詰め込まれたポリ袋３からなり、包装体２の上面部２１に形成される左右の開口部４，４からポリ袋３を一枚づつ取り出せると共に、包装体２の任意の側面部２２に形成される第二開口部５からもポリ袋３を一枚づつ取り出せるようになっており、且つ、前記左右の開口部４，４で挟まれる帯状封着部６を手提げ部として持ち運びができるよう構成されている。
【００１９】
包装体２は、その内部に、一枚ずつ複数折りされたポリ袋３を略水平に多数枚重ねた状態で収容することが可能な横断面を有する角筒状のポリエチレンシート１からなり、ポリ袋３を詰め込む前の状態において、前記ポリエチレンシート１の上端側の開口１ａを熱溶着することで閉鎖するとともに、下端側の開口１ｂを開放した包装袋２’を形成し、その下端側の開口１ｂから前記多数のポリ袋３を略水平に重ねて詰め込んだ後、その開口１ｂを熱溶着により閉鎖することで、略ボックス状の包装体２として構成される（図５参照）。
また、包装体２は、前記上端側の開口１ａを熱溶着した際に形成される帯状封着部６を上面部２１の幅方向略中央に、前記下端側の開口１ｂを熱溶着した際に形成される帯状封着部７を下面部２３の幅方向略中央に夫々備えている。
【００２０】
包装体２には、前記開口部４，４を形成するための取出部８，８と、前記第二開口部５を形成するための第二取出部９が形成されており、これら取出部８、９は、ポリエチレンシート１の適所に設けた破線１０，１１で囲まれ、該破線１０，１１に沿って切り取られることで、前記開口部４、第二開口部５が形成されるようになっている。
【００２１】
取出部８，８は、包装体２の上面部２１に形成される帯状封着部６を挟むよう、該帯状封着部６の左右両側に形成されており、取出部８，８を切り取って左右の開口部４，４を形成した際に、これら左右の開口部４，４で挟まれる帯状封着部６を手提げ部として利用することも可能である。
【００２２】
第二取出部９は、包装体２の側面部２２のほぼ全高にわたるよう形成され、第二開口部５により、包装体２内の下方に収容されたポリ袋３を容易に取り出せるようになっている。
【００２３】
また、多数のポリ袋３が収容された包装体２は、その内部を真空又はそれに近い状態として、収容されたポリ袋３と包装体２との間に隙間が生じたりポリ袋３がずれるような虞れなく、コンパクトな状態で縦置き可能に構成されている。
【００２４】
本考案においてポリ袋３は特に限定されるものではないが、本例では、内容積が４５リットル、厚さ０．０１７ｍｍのポリエチレン製の一般的なごみ収集用袋を用い、複数折りしたこのポリ袋３が５０枚重ねて包装体２内に収容されている。
尚、ポリ袋３は前記した以外に、内容積が７０リットルや９０リットルのもの、厚さが０．０１５ｍｍや０．０３５ｍｍ、０．０５ｍｍのもの、収容枚数が３０〜１００枚である場合、ポリエチレンに炭酸カルシウムを混入したもの、或いはそれ以外のもの等、いずれを用いても構わないが、一般家庭用とする場合はポリ袋３の収容枚数を５０枚程度とすることが好ましい。
また、ポリ袋３はごみ収集用袋に限定されず、例えば、蒲団収納用やその他の物を収納する、或いは他の用途に用いる袋であっても構わない。
【００２５】
ポリ袋３の複数折りの一態様を図６を参照して説明すれば、先ず、その長手方向に折り重ねるようにして連続して２回折られ（図６（ａ）〜（ｃ）参照）、次いで、前記長手方向と直交する方向に折り重ねるようにして連続して３回折られる（図６（ｄ）〜（ｆ）参照）ことで、重なり合う面を３２面有する小型矩形状に構成される。
【００２６】
このように複数折された多数のポリ袋３は、包装体２内にて水平状に重ねられることで、包装体２を略直方体形状に維持する支持部材として機能するようになる。
尚、前記ポリ袋３を包装体２内に詰め込む手順は、例えば、ポリ袋３を複数枚まとめて複数折りにした後、その複数枚のポリ袋３を包装体２内に積み重ねるようにすることも可能であるが、前記した開口部４、５からのポリ袋３の取出し性を良好にする観点や、包装体２を略直方体形状に維持する観点等から、上記したように一枚づつ折られたポリ袋３を包装体２内に積み重ねるようにすることが好ましい。
【００２７】
これら複数折りされた多数のポリ袋３が略水平に重ねて詰め込まれた略ボックス状の包装体２の内部は、真空又はそれに近い状態として縦置き可能に構成することが好ましい。
【００２８】
以上の構成になる本例のポリ袋用パッケージＡは、ポリエチレンシート１からなる略ボックス状の包装体２内に多数のポリ袋３が一枚ずつ複数折りされた状態で重ねて詰め込まれているので、雨水等に強く耐候性、耐水性に優れ、薄肉軽量であるため保管、搬送時に嵩張ることがなく、使用後の廃棄処理も容易である。
また、略ボックス状のパッケージであるため、一般家庭の調理台等の上に置いて使用するのに適したデザインを持ち、且つ調理台や食器棚の引き出し等に入れたままで上面の開口部４からポリ袋３を一枚ずつ取り出すことができる（図２参照）。
また、ポリ袋を一枚ずつ取り出すための開口部４，４の間の帯状封着部６を持ち運び用の手提げ部として用いることもできる(図３参照)。
また、内部のポリ袋３の量が減って上面部２１の開口部４から取り出しにくくなった場合、側面部２２の第二開口部５によって包装体２内下方のポリ袋３を容易に取り出すことができ、便利である（図４参照）。
また、角筒状のポリエチレンシート１を用いて、その上下の開口１ａ，１ｂの溶着閉鎖による略ボックス状の包装体２の製造工程と、多数のポリ袋３の詰め込み工程とを一連の工程中で行うことができる。また、上端側の開口１ａの溶着閉鎖時に形成される帯状封着部６を利用して持ち運び用の手提げ部とすることができ、より安価での提供が可能になる。
さらに、略ボックス状の包装体２内に、一枚づつ複数折りされた多数のポリ袋３が略水平状に重ねて詰め込まれ、且つ包装体２の内部を真空又はそれに近い状態として縦置き可能に構成したので、収容されたポリ袋３がずれて型崩れするような虞れが少なく、コンパクトな形態で保管、搬送、使用に供することができる。よって、多数個を積み上げて保管、搬送する際等の省スペース化や省労力化が図れると共に、一般家庭でテーブルの上に置いて使用するのに違和感のない、新規なゴミ袋用パッケージとして提供し得る。
【００２９】
以上、本考案の実施形態の一例を図面を参照して説明したが、本考案に係るポリ袋用パッケージは図示例に限定されるものではなく、例えば、第二開口部５を包装体２の他の側面部（正面部２４や背面部２５）に設けたり、帯状封着部６の切断寸法ｈを幅広にして延設部を形成し該延設部に切欠きを設けて手提げ部を形成したり、開口部４，５の位置や形状をポリ袋３の材質，特性等に合わせて適宜変更するなど、その他、実用新案登録請求の範囲の各請求項に記載された技術的思想の範疇において種々の変更が可能であることは言うまでもない。
【図面の簡単な説明】
【００３０】
【図１】本考案に係るポリ袋用パッケージの一例を示す斜視図。
【図２】同ポリ袋用パッケージの使用状態の一例を示す縦断面図。
【図３】同ポリ袋用パッケージの持ち運び状態を示す斜視図。
【図４】同ポリ袋用パッケージの使用状態の他例を示す斜視図。
【図５】同ポリ袋用パッケージの製造工程の一例を示す縦断面図。
【図６】同ポリ袋用パッケージにおけるポリ袋の複数折りの手順の一例を示す斜視図。
【符号の説明】
【００３１】
Ａ：ポリ袋用パッケージ
１：ポリエチレンシート（軟質合成樹脂シート）
２：包装体
３：ポリ袋
４：開口部
５：第二開口部
６：帯状封着部（帯状部）
８：取出部
９：第二取出部
１０，１１：破線
【図１】
0003102197.tif 000003
【図２】
0003102197.tif 000004
【図３】
0003102197.tif 000005
【図４】
0003102197.tif 000006
【図５】
0003102197.tif 000007
【図６】
0003102197.tif 000008